(57)【要約】【課題】球の流れを２列から１列に変更する部分での球詰まりの発生を防止する。【解決手段】球払出機構２の球払出通路３から落下した球Ｐ１が矢印Ｘ１で示すようにすり鉢部２０の斜面２２に衝突し、斜面２２が衝突した球Ｐ１を矢印Ｘ２で示すように球出口部２１に向けて反射し、球Ｐ１が斜面２２で１回だけ反射して斜面２３への２次衝突を行うことなく球出口部２１に直接的に取り込まれ、球払出機構２の球払出通路４から落下した球Ｐ２は矢印Ｘ３で示すようにすり鉢部２０の斜面２３に衝突し、斜面２３が衝突した球Ｐ２を矢印Ｘ４で示すように、球出口部２１に向けて反射し、球Ｐ２が斜面２３で１回だけ反射して斜面２２への２次衝突を行うことなく球出口部２１に直接的に取り込まれる。【選択図】図１
2006102357.tif 000002
【特許請求の範囲】
【請求項１】
球払出機構のモータが２つの球払出体を回転駆動することによって球を２列に払い出し、球払出機構から２列に払い出された球を収斂樋で１列に直して下流側に排出する遊技機の球払出装置において、収斂樋が、上部から下部に行くにしたがって幅が小さくなる相対峙する一対の斜面を有するすり鉢部と、すり鉢部の下部に連接されてすり鉢部から排出された球を１列で流下する球出口部とを備え、一対の斜面が衝突した球を斜面への２次衝突をすることなく下部の球出口部に向けて反射する角度に設定されたことを特徴とする遊技機の球払出装置。
【発明の詳細な説明】
【技術分野】
【０００１】
本発明は、球の流れを２列から１列に変更する部分での球詰まりが防止できる遊技機の球払出装置に関する。
【背景技術】
【０００２】
特許文献１に開示された遊技機の球払出装置は、球払出機構のモータが２つのスプロケットのような球払出体を駆動することによって球を２列に払い出し、球払出機構から２列に払い出された球を収斂樋で１列に直して下流側に排出している。しかしながら、図９に示すように、収斂樋１２１は、上部から下部に行くにしたがって幅が小さくなるすり鉢部１２２を有し、すり鉢部１２２における相対峙する一方の斜面１２３が衝突した球Ｐを他方の斜面１２４に向けて反射し、この他方の斜面１２４が衝突した球Ｐを一方の斜面１２３に向けて反射する構造であるため、すり鉢部１２２において球Ｐが矢印Ｘ１１で示す経路を通過して繰り返される反射で左右に暴れ、すり鉢部１２２の下部１２５に球詰まりが発生するという欠点がある。
【特許文献１】特開２０００−２４２９６号公報
【発明の開示】
【発明が解決しようとする課題】
【０００３】
発明が解決しようとする問題点は、収斂樋に球詰まりが発生するという点である。
【課題を解決するための手段】
【０００４】
本発明に係る遊技機の球払出装置は、球払出機構のモータが２つの球払出体を回転駆動することによって球を２列に払い出し、球払出機構から２列に払い出された球を収斂樋で１列に直して下流側に排出する遊技機の球払出装置において、収斂樋が、上部から下部に行くにしたがって幅が小さくなる相対峙する一対の斜面を有するすり鉢部と、すり鉢部の下部に連接されてすり鉢部から排出された球を１列で流下する球出口部とを備え、一対の斜面が衝突した球を斜面への２次衝突をすることなく下部の球出口部に向けて反射する角度に設定されたことを最も主要な特徴とする。収斂樋を球払出機構に一体に結合してもよい。
【発明の効果】
【０００５】
本発明に係る遊技機の球払出装置は、球払出機構から排出されて収斂樋の一方の斜面への衝突で反射された球が他方の斜面への２次衝突を行うことなく球出口部に直接的に取り込まれ、球払出機構から排出されて他方の斜面への衝突で反射された球が一方の斜面への２次衝突を行うことなく球出口部に直接的に取り込まれるので、すり鉢部において球が左右に暴れることがなく、すり鉢部の下部に球詰まりが発生しないという利点がある。収斂樋を球払出機構に一体に結合すれば、球払出機構から収斂樋のすり鉢部への球の流れが安定するうえ、球払出機構を遊技機枠に取り付けることによって、収斂樋も遊技機枠に取り付けられるので、球払出機構と収斂樋との遊技機枠への取付構造を簡素化することができるという利点がある。
【発明を実施するための最良の形態】
【０００６】
図１乃至図８は、発明を実施するための最良の形態である。図１は、遊技機の球払出装置１における球を２列から１列に直す主要部を模式的に示す。図２は、パチンコ機における遊技機枠２５と遊技盤５１とを分解して前側から示す。図３は、可動枠２７を裏側から示す。図４は、球払出装置１の主要部を裏側から示す。図５は、収斂樋１９および縦樋６２を分解して示す。図６は、図５の収斂樋１９および縦樋６２をひっくり返した裏側から示す。図７のａ図は、位置決め部材８０を樋カバー７９の位置決め取付部９４に装着する前の時点の断面を示す。図７のｂ図は、位置決め部材８０を位置決め取付部９４に装着した後の時点の断面を示す。図８は、球払出装置１の排出樋６５と球払出機構２と収斂樋１９および縦樋６２が可動枠２７の遊技主体収納構造体３６に取り付けられた裏面を示す。
【０００７】
図１を参照し、遊技機の球払出装置１における球を２列から１列に直す主要部について説明する。球払出装置１における球払出機構２では、球を一方向に１列に誘導する球払出通路３；４が球払出機構２の筐体５の内部に２列で並列に形成され、スプロケットのような２つの球払出体６；７と２つの払出球検出器８；９とが２列の球払出通路３；４に個別に配置され、２つの球払出体６；７が駆動軸１０で一緒に同じ方向に回転するように筐体５に支持され、駆動軸１０が筐体５の外部に止めねじ１１で取り付けられたステップモータのようなモータ１２のモータ軸のような出力軸１３に連結される。そして、２つの球払出体６；７がモータ１２で回転駆動すると、２つの球払出体６；７が２列の球払出通路３；４における球を１個ずつ分離しつつ１列ずつで２列に払い出し、この２列の球払出通路３；４における球が２つの払出球検出器８；９における球検出孔１４；１５を個別に通過すると、２つの払出球検出器８；９が球を個別に電気的に検出して払出球検出信号を図外の制御装置に出力する。
【０００８】
２つの球払出体６；７には、球を１個ずつ分離するように取り込むための球取込部１６；１７が、球払出体６；７の周面から駆動軸１０の方向である内部に窪む窪みとして設けられる。一方の球払出体６における球取込部１６と他方の球払出体７における球取込部１７とは、球払出体６；７の回転方向に位置がずれている。よって、一方の球払出体６が球を一方の払出球検出器８に向けて排出する時期と他方の球払出体７が球を他方に払出球検出器９に向けて排出する時期とは、同じ時期とはならず、異なる時期となる。したがって、一方の払出球検出器８を通過して一方の球払出通路３で筐体５から排出される１列の球と、他方の払出球検出器９を通過して他方の球払出通路４で筐体５から排出される１列の球とは、筐体５から互い違いに排出される。
【０００９】
球払出装置１における収斂樋１９は、球払出機構２の側に位置する上部のすり鉢部２０とすり鉢部２０の下部の側に連接された下部の球出口部２１とを備える。そして、２つの払出球検出器８；９を通過して２列の球払出通路３；４で筐体５から排出された２列の球が、２列の球払出通路３；４から真下に落下し、すり鉢部２０における上部から下部に行くにしたがって相対峙する幅が徐々に小さくなる一対の斜面２２；２３に個別に衝突する。相対峙する斜面２２；２３が収斂樋１９における上下方向に延びる一点鎖線で示す中心線Ｌに対する角度θは、衝突した球を斜面２２；２３に沿って流下させて斜面２２；２３への２次衝突をすることなく下部の球出口部２１に入れるように向けて反射する角度に設定されている。角度θは、例えば、３０度である。
【００１０】
具体的には、球払出機構２の一方の球払出通路３から落下した仮想線で示す球Ｐ１が、矢印Ｘ１で示すように、すり鉢部２０における一方の球払出通路３の真下に位置する一方の斜面２２に衝突する。この一方の斜面２２は、衝突した球Ｐ１を、矢印Ｘ２で示すように、球出口部２１に向けて反射する。これによって、球Ｐ１は一方の斜面２２で１回だけ反射して他方の斜面２３への２次衝突を行うことなく球出口部２１に直接的に取り込まれる。球払出機構２の他方の球払出通路４から落下した仮想線で示す球Ｐ２は、矢印Ｘ３で示すように、すり鉢部２０における他方の球払出通路４の真下に位置する他方の斜面２３に衝突する。この他方の斜面２３は、衝突した球Ｐ２を、矢印Ｘ４で示すように、球出口部２１に向けて反射する。これによって、球Ｐ２は他方の斜面２３で１回だけ反射して一方の斜面２２への２次衝突を行うことなく球出口部２１に直接的に取り込まれる。
【００１１】
このように、収斂樋１９の中心線Ｌに対するすり鉢部２０における相対峙する斜面２２；２３の角度θが、衝突した球を斜面２２；２３への２次衝突を行う下部の球出口部２１に入れるように向けて反射する角度に設定された構造であるので、一方の斜面２２への衝突で反射された球が他方の斜面２３への２次衝突を行うことなく球出口部２１に直接的に取り込まれ、他方の斜面２３への衝突で反射された球が一方の斜面２２への２次衝突を行うことなく球出口部２１に直接的に取り込まれる。このため、１個の球がすり鉢部２０で１回だけ反射して球出口部２１に取り込まれるので、すり鉢部２０において球が左右に暴れることがなく、すり鉢部２０の下部に球詰まりが発生しないという利点がある。
【００１２】
図２を参照し、遊技機の１つであるパチンコ機における遊技機枠２５の前側の構造について説明する。遊技機枠２５は、固定枠２６の前側に可動枠２７を左側に位置するヒンジ２８で前側の横方向に片開き可能に取り付け、可動枠２７の前側にパネル枠２９および球皿構造体３０を左側に位置するヒンジ３１で前側の横方向に片開き可能に取り付けた構造である。固定枠２６は、遊技店の島と呼ばれる図外の遊技機設置構造体に取り付けるための外枠と呼ばれ、前後方向に開放された縦長な長方形の空間を囲む額縁形状である。可動枠２７は、前枠または中枠と呼ばれ、遊技主体としての遊技盤５１を取り付けるものである。パネル枠２９は、前後方向に貫通する窓３２を囲む額縁形状である。パネル枠２９の裏面には、光を透過する性質の有る無色なガラスまたは合成樹脂からなる前面パネル３３が、窓３２を塞ぐ格好で取り付けられる。球皿構造体３０の前面には、遊技に使用する球を入れる球受皿部３４と、人が操作する球発射操作機構３５とを備える。
【００１３】
そして、少なくとも、パネル枠２９が開けられた状態において、遊技盤５１の内ガイドレール５２と外ガイドレール５３とで囲まれた内側の遊技領域５４が前側に向けられ、遊技盤５１の裏面が可動枠２７の方向に向けられ、遊技盤５１が可動枠２７の前側から遊技主体収納構造体３６の遊技主体収納室３７に挿入され、遊技盤５１の下部が遊技主体棚３８の上に載せられ、遊技盤５１の左側部が遊技主体押圧部３９と遊技主体受部４０との間に挿入されて前後方向から挟まれた後、遊技盤５１の右側部が作業者によって後側に押され、遊技主体ロック部材４１のロック操作部４２が遊技盤５１の取付部５５におけるロック挿入孔５６に後側から挿入されて前側に突出した状態において、作業者がロック操作部４２を例えば右方向に９０度回転操作すると、ロック操作部４２がロック挿入孔５６の周りにおける取付部５５と係合し、遊技盤５１が可動枠２７に取り付けられる。
【００１４】
その後、パネル枠２９および球皿構造体３０が閉じられて可動枠２７に支持され、遊技店の従業員が図３に示す電源装置４８の電源スイッチを投入すると、電源装置４８が供給された交流電源を直流電源に変換し、変換した直流電源を図３に示す発射払出制御装置４９や図外の主制御装置あるいは図外の複合制御装置および図外の図柄制御装置などの制御装置に供給する。その状態において、遊技者が球受皿部３４に球を入れて球発射操作機構３５を操作すると、発射払出制御装置４９が球発射機構４３を球発射操作機構３５から出力された操作量に応じた発射力で例えば１分間に１から１００発未満までの所定数の間隔で駆動し、球発射機構４３が球受皿部３４の球供給口４４から球発射レール４５に供給された球を１個ずつ遊技盤５１の内ガイドレール５２と外ガイドレール５３との間の球発射通路５７に向けて発射する。
【００１５】
球発射通路５７に発射された球が、球発射通路５７から球戻り防止弁５８を押し開けて遊技領域５４に到達した後に遊技領域５４を流下する過程において、複数の入賞部品５９のいずれかに入賞すると、それぞれの入賞に対応する賞球としての球が、球払出装置１から球受皿部３４に払い出される。球皿構造体３０の裏面に開口した球取入口４６は、球皿構造体３０が閉じられて可動枠２７に支持されることによって、遊技主体棚３８の下部における横樋４７の球出口４７ａに接続される。横樋４７は球払出装置１から排出された球を球皿構造体３０に向けて誘導するものである。よって、球払出装置１から排出された球は、横樋４７から球出口４７ａおよび球取入口４６を経由して球受皿部３４に排出される。
【００１６】
図３を参照し、可動枠２７の裏側の構造について説明する。可動枠２７の裏部、具体的には、遊技主体収納構造体３６の裏面には、球払出装置１が設けられる。球払出装置１は、タンク構造体６１、球払出機構２、収斂樋１９、縦樋６２を備える。タンク構造体６１および球払出機構２は、遊技主体収納構造体３６における中央開口部６３よりも上部の位置で左右に並べられ、遊技主体収納構造体３６の裏面に取り付けられる。タンク構造体６１は、球貯蔵室６４と排出樋６５とを備える。球貯蔵室６４は、遊技機設置構造体における図外の球補給機構から供給された球を貯蔵する上方に開口した形状である。排出樋６５は、球貯蔵室６４から排出された球を２列に分離して球払出機構２に誘導する構造である。収斂樋１９は、球払出機構２と縦樋６２との間に設けられる。
【００１７】
縦樋６２は、遊技主体収納構造体３６における中央開口部６３よりも左部の位置で中央開口部６３の左縁に沿って縦に配置され、遊技主体収納構造体３６の裏面に取り付けられる。縦樋６２の内部には蛇行通路６６が設けられる。蛇行通路６６は、収斂樋１９から１列に排出された球を下部に誘導して排出する通路であって、縦樋６２を後から見た場合、球を１列で上から下に流し、縦樋６２を左右方向の横から見た場合、球を１列で前後に蛇行しつつ上から下に流す形態である。つまり、縦樋６２における左右方向の横幅は、球を１列で上から下に誘導する細い寸法になっている。
【００１８】
図４を参照し、球払出装置１の主要部の構造について説明する。排出樋６５は、１個の球における直径の２倍以上の前後方向の寸法を有する底壁６７の前後縁から前壁６８と後壁６９が上方に突出し、底壁６７の前後方向の中央から隔壁７０が方に突出し、底壁６７と前壁６８および隔壁７０からなる上方に開口した前側の１つの排出通路７１と、底壁６７と後壁６９および隔壁７０からなる上方に開口した後側の１つの排出通路７２とが、球貯蔵室６４から排出された球を２列に分離して１列ずつとし、球払出機構２における２列の球払出通路３；４に個別に誘導する。球払出機構２は、排出樋６５から球払出機構２における２列の球払出通路３；４に球が供給されている状態において、モータ１２が２つの球払出体６；７を一緒に一方向に回転駆動すると、２列の球払出通路３；４から２つの払出球検出器８；９を通過し球が筐体５から互い違いに排出される。収斂樋１９は、球払出機構２における筐体５から２列で互い違いに排出された球を１列に直して下部の縦樋６２の蛇行通路６６に排出する。
【００１９】
図５を参照し、収斂樋１９および縦樋６２の構造について説明する。収斂樋１９は、上部のすり鉢部２０と下部の球出口部２１とを備える。すり鉢部２０は、上部から下部に行くにしたがって幅が小さくなる相対峙する斜面２２；２３と、斜面２２；２３の相対峙する方向と直交する方向で平行に相対峙する平行面７５；７６とからなる角筒状である。相対峙する斜面２２；２３における上端部の対向間隔は、１個の球における直径の２倍以上の寸法である。つまり、相対峙する斜面２２；２３における上端部の対向間隔は、２個の球が並列に流下する寸法である。
【００２０】
相対峙する斜面２２；２３における下端部の対向間隔は、１個の球における直径より大きいが、１個の球における直径の２倍より小さい、寸法である。つまり、相対峙する斜面２２；２３における下端部の対向間隔は、１個の球が流下するが、２個の球が並列に流下できない、寸法である。相対峙する平行面７５；７６の対向間隔は、１個の球における直径より大きいが、１個の球における直径の２倍より小さい、寸法である。つまり、相対峙する平行面７５；７６における下端部の対向間隔は、１個の球が流下するが、２個の球が並列に流下できない、寸法である。
【００２１】
球出口部２１は、すり鉢部２０における斜面２２；２３の下端部および平行面７５；７６の下端部から下方に直線的に延びた４つの壁で囲まれた角筒状である。球出口部２１の内部は、１個の球における直径より大きいが、１個の球における直径の２倍より小さい、寸法である。つまり、球出口部２１の内部は、相対峙する壁における対向間隔は、１個の球が流下するが、２個の球が並列に流下できない、寸法である。よって、球出口部２１は球を１列に流下させる球通路である。
【００２２】
縦樋６２は、樋ベース７８と樋カバー７９および位置決め部材８０を備える。樋ベース７８は、光を透過する性質の有る無色の合成樹脂により、ベース基板８１、相対峙する入口壁８２、相対峙する蛇行壁８３、相対峙する出口壁８４、ねじ締結部８５、周壁８６、リブ８７を備えた、一体の形状に形成された構造である。ベース基板８１は、縦長な方形な板状である。相対峙する入口壁８２は、ベース基板８１からの上部から樋カバー７９の方向に突出する。相対峙する入口壁８２における上部の対向間隔は、収斂樋１９における球出口部２１の内部の相対峙する対向間隔よりも大きな寸法である。
【００２３】
相対峙する入口壁８２における下部の対向間隔は、１個の球における直径より大きいが、１個の球における直径の２倍より小さい、寸法である。つまり、相対峙する入口壁８２における下部の対向間隔は、１個の球が流下するが、２個の球が並列に流下できない、寸法である。要するに、相対峙する入口壁８２は、上部が広く下部が小さく、収斂樋１９と縦樋６２とが組み立てられた場合、収斂樋１９の球出口部２１と縦樋６２の入口部９３とを合わせる位置が多少ずれても、収斂樋１９から排出される球を縦樋６２に適切に取り込むことができるようにする、構造である。
【００２４】
相対峙する蛇行壁８３は、相対峙する入口壁８２の下部に連なるように、ベース基板８１から樋カバー７９の方向に突出する。相対峙する蛇行壁８３の対向間隔は、１個の球における直径より大きいが、１個の球における直径の２倍より小さい、寸法である。つまり、相対峙する蛇行壁８３の対向間隔は、１個の球が流下するが、２個の球が並列に流下できない、寸法である。相対峙する出口壁８４の対向間隔は、１個の球における直径より大きいが、１個の球における直径の２倍より小さい、寸法である。つまり、相対峙する出口壁８４の対向間隔は、１個の球が流下するが、２個の球が並列に流下できない、寸法である。ねじ締結部８５は、相対峙する蛇行壁８３と周壁８６とで囲まれた部分におけるベース基板８１から樋カバー７９の方向に突出する筒状である。周壁８６は、ベース基板８１の周縁部から樋カバー７９の方向に突出する。リブ８７は、相対峙する蛇行壁８３の一方と周壁８６とをつなぐように、ベース基板８１から樋カバー７９の方向に突出する。
【００２５】
樋カバー７９は、光を透過する性質の有る無色の合成樹脂により、カバー基板８９、ねじ挿入孔９０、周壁９１、リブ９２、入口部９３、位置決め取付部９４、装置取付部９５を備えた、一体の形状に形成された構造である。カバー基板８９は、ベース基板８１と同じ大きさの縦長な方形な板状である。ねじ挿入孔９０は、カバー基板８９に設けられ、樋ベース７８と樋カバー７９とが組み合わせられた場合、ねじ締結部８５と対応する位置となるように、カバー基板８９の表面（樋ベース７８の方向に向けられる面）と裏面（樋ベース７８の反対側に位置する面）とに貫通する孔である。周壁９１は、カバー基板８９の周縁部から樋ベース７８の方向に突出する。リブ９２は、ベース基板８１から樋カバー７９と反対の方向に突出する。入口部９３は、周壁８６の上部が除去された形態に形成され、樋ベース７８と樋カバー７９とが組み合わせられた場合、樋ベース７８の相対峙する入口壁８２の外側に位置するように、入口壁８２に嵌め込まれる。
【００２６】
位置決め取付部９４は、樋カバー７９の反対で入口部９３の周囲に位置し、ガイド部９６、突出位置決め孔９７、収納位置決め孔９８、裏支持壁９９、残渣孔１００を備える。ガイド部９６は、位置決め部材８０を上下方向に誘導する部分であって、入口部９３におけるカバー基板８９から突出した相対峙するリブ９２の相対峙する面によって形成される。突出位置決め孔９７は、収納位置決め孔９８よりも上部に位置し、入口部９３におけるカバー基板８９に設けられ、カバー基板８９表面と裏面とに貫通する孔である。突出位置決め孔９７の孔径は、位置決め部材８０の突起１０９の一部を取り込み得るように、位置決め部材８０の突起１０９における最大の外径よりも小さい。
【００２７】
収納位置決め孔９８は、位置決め部材８０の突起１０９を収納する孔であって、収納位置決め孔９８よりも下部に位置し、入口部９３におけるカバー基板８９に設けられ、カバー基板８９の表面と裏面に貫通し、カバー基板８９表面に位置する突出位置決め孔９７の孔径が、カバー基板８９の裏面に位置する突出位置決め孔９７の孔径よりも小さい、傾斜孔である。
【００２８】
裏支持壁９９は、入口部９３におけるカバー基板８９から突出した相対峙するリブ９２に連接して設けられる。裏支持壁９９におけるカバー基板８９の方向に向けられた表面とカバー基板８９の裏面との間には、位置決め部材８０の位置決め基板１０３を挿入する隙間が形成される。残渣孔１００は、樋カバー７９を成形するための成形型における裏支持壁９９を形成する移動成形型要素が引き抜かれた跡である。装置取付部９５は、カバー基板８９の縦長な一側縁からカバー基板８９の裏側に突出した取付壁１０１に、上中下に位置して設けられ、取付壁からカバー基板８９の方向である内側に窪む形状である。
【００２９】
位置決め部材８０は、合成樹脂により、位置決め基板１０３、把持部１０４、逃孔１０５、弾性片１０６、取手１０７、滑走部１０８、図６に示す突起１０９を備えた、一体の形状に形成された構造である。位置決め基板１０３は、樋カバー７９におけるガイド部９６を構成する相対峙するリブにおける相対峙する面の間に上下方向に移動可能に嵌め込まれる縦長な方形の板状である。把持部１０４は、位置決め基板１０３の上下方向の中央部から位置決め基板１０３の裏側に突出する。逃孔１０５は、位置決め基板１０３に、把持部１０４から上部に位置し、位置決め基板１０３の表面と裏面とに貫通する孔として形成される。弾性片１０６は、片持ち梁のように、把持部１０４から逃孔１０５の内部に延設され、把持部１０４との連接部分を中心として、位置決め基板１０３の表面と裏面との方向に撓む形状である。取手１０７は、弾性片１０６における位置決め基板１０３の表面と裏面との方向に撓む自由端部から裏側に突出する。滑走部１０８は、位置決め基板１０３に、把持部１０４から下部に位置し、位置決め基板１０３の表面から樋カバー７９の方向に突出する。
【００３０】
図６を参照し、樋ベース７８と樋カバー７９および位置決め部材８０を図５からひっくり返した裏側の構造について説明する。樋ベース７８のベース基板８１には、装置取付部１１１が、ベース基板８１の裏面から裏側に突出した突起として設けられる。樋カバー７９のカバー基板８９には、位置決め部１１２が、ねじ挿入孔９０の周囲に位置し、カバー基板８９の表面から前側に突出した筒状の突起として設けられ、樋ベース７８と樋カバー７９とが組み合わせられた場合、カバー基板８９の図５に示すねじ締結部８５を外側から包むようにねじ締結部８５に嵌め込まれる。樋カバー７９の周壁８６には、出口部１１３が、周壁８６の下部が除去された形状に形成され、樋ベース７８と樋カバー７９とが組み合わせられた場合、樋ベース７８の図５に示す相対峙する蛇行壁８３の出口部１１３の外側に位置するように、出口部１１３に嵌め込まれる。位置決め部材８０における弾性片１０６の自由端部には、突起１０９が、弾性片１０６の表面から半球形に突出する。滑走部１０８は、位置決め部材８０が上下方向に移動する方向と直交する方向に延設された突条の形態であって、上下に分かれた形で複数設けられる。
【００３１】
図５乃至図８を参照し、縦樋６２の組み立て方について説明する。先ず、図５および図６において、樋ベース７８の蛇行壁８３と樋カバー７９の位置決め部１１２とが互いに向かい合わせられ、樋ベース７８と樋カバー７９とが互いに合わせられ、樋ベース７８の周壁８６が樋カバー７９の周壁８６の内側に取り込まれるように、樋ベース７８の周壁８６と樋カバー７９の周壁８６とが互いに嵌め込まれ、樋ベース７８のねじ締結部８５が樋カバー７９の位置決め部１１２の内部に取り込まれるように、樋ベース７８のねじ締結部８５と樋カバー７９の位置決め部１１２とが互いに嵌め合わせられ、樋カバー７９の入口部９３と樋ベース７８の入口壁８２とが互いに嵌め合わせられ、樋カバー７９の出口部１１３と樋ベース７８の出口壁８４とが互いに嵌め合わせられ、樋カバー７９のカバー基板８９の表面が樋ベース７８の蛇行壁８３の開口を塞ぐ。その後、止ねじ１１５のねじ部が樋カバー７９のねじ挿入孔９０から樋ベース７８のねじ締結部８５に締結される。これによって、縦樋６２の樋ベース７８と樋カバー７９とからなる内部には、収斂樋１９から１列に排出された球を１列で前後に蛇行しつつ上から下に流す形態の図３に示す蛇行通路６６が形成される。
【００３２】
位置決め部材８０は、樋ベース７８と樋カバー７９とが互いに止ねじ１１５で締結される前の時点または後の時点において、樋カバー７９の位置決め取付部９４に装着される。それには、図７のａ図において、位置決め部材８０の滑走部１０８が樋ベース７８の方向に向けられる。そして、滑走部１０８の存在する位置決め基板１０３における滑走部１０８の存在する下部が、矢印Ｘ５で示すように、樋ベース７８の上方から突出位置決め孔９７および収納位置決め孔９８の存在するベース基板８１の裏面、裏支持壁９９の表面とカバー基板８９の裏面との間に形成された隙間１１６を経由してガイド部９６に挿入される。これによって、図６のｂ図に示すように、位置決め基板１０３がカバー基板８９と裏支持壁９９との間に挟まれ、滑走部１０８が残渣孔１００よりも下部のカバー基板８９の裏面に接触し、弾性片１０６の突起１０９が収納位置決め孔９８に格納され、位置決め基板１０３の上端部がカバー基板８９より下部に位置し、位置決め部材８０が樋カバー７９の位置決め取付部９４に収納された状態で装着される。
【００３３】
その状態において、人が、２本の指を樋カバー７９の裏側から把持部１０４と取手１０７とに掛け、取手１０７に矢印Ｘ６で示す下方への外力を加えると、弾性片１０６が把持部１０４との連接部分を中心として矢印Ｘ７で示す裏側の方向に撓み、突起１０９が収納位置決め孔９８から外れる。そのまま、人が、上記２本の指で位置決め部材８０を矢印Ｘ８で示す上方に向けて移動した後、上記矢印Ｘ６で示す外力を取手１０７から解除する。これによって、弾性片１０６が自身の弾性でカバー基板８９の方向に復元し、突起１０９がカバー基板８９の裏面に接触する。その後、人が、把持部１０４を上方に持ち上げることによって、突起１０９の一部がカバー基板８９から突出位置決め孔９７に嵌め込まれる。これによって、図８に示すように、位置決め部材８０における位置決め基板１０３の上端部が樋カバー７９よりも上方に突出する。このように位置決め部材８０の位置決め基板１０３の上端部が樋カバー７９よりも上方に突出する。
【００３４】
図８を参照し、球払出機構２と収斂樋１９および縦樋６２との配置構造について説明する。球払出機構２の筐体５と収斂樋１９とが互いに接着剤で結合されている。よって、球払出機構２から収斂樋１９のすり鉢部２０への球の流れが安定するうえ、球払出機構２を遊技機枠２５における可動枠２７の裏面に取り付けることによって、収斂樋１９も可動枠２７の裏面に取り付けられるので、球払出機構２と収斂樋１９との遊技機枠２５への取付構造を簡素化することができるという利点がある。球払出機構２が遊技主体収納構造体３６の裏面に図外の固着具で取り付けられ、縦樋６２が遊技主体収納構造体３６の裏面に図外の固着具で取り付けられ、位置決め部材８０における位置決め基板１０３の上端部が樋カバー７９よりも上方に突出することによって、収斂樋１９が位置決め基板１０３と樋ベース７８のベース基板８１の上端部とで挟まれ、収斂樋１９の球出口部２１と縦樋６２の蛇行通路６６とが球を１列で上から下に誘導するように位置合わせされて接続されるという利点がある。図８において、矢印Ｘ９は、球払出体６；７が球Ｐ１；Ｐ２を払い出す方向に回転する方向を示す。矢印Ｘ１０は、球払出体６；７の矢印Ｘ９の方向への回転によって、球Ｐ１；Ｐ２が２列の球払出通路３；４から蛇行通路６６の方向に流れる方向を示す。
【産業上の利用可能性】
【００３５】
遊技機としては、球を遊技媒体として使用するスロットマシンであってもよい。
【図面の簡単な説明】
【００３６】
【図１】球払出装置の球を２列から１列に直す主要部を示す模式図（最良の形態）。
【図２】パチンコ機の遊技機枠と遊技盤とを前側から示す分解斜視図（最良の形態）。
【図３】可動枠を裏側から示す斜視図（最良の形態）。
【図４】可動枠に取り付けられた球払出装置の主要部を裏側から示す斜視図（最良の形態）。
【図５】収斂樋および縦樋を前側から示す分解斜視図（最良の形態）。
【図６】収斂樋および縦樋を裏側から示す分解斜視図（最良の形態）。
【図７】位置決め部材を樋カバーに装着する工程図（最良の形態）。
【図８】球払出装置の排出樋と球払出機構と収斂樋および縦樋が遊技主体収納構造体に取り付けられた形態を示す裏面図（最良の形態）。
【図９】収斂樋の内部構造を示す断面図（従来）。
【符号の説明】
【００３７】
１    球払出装置
２    球払出機構
６    球払出体
７    球払出体
１２  モータ
１９  収斂樋
２０  すり鉢部
２１  球出口部
２２  斜面
２３  斜面
【図１】
2006102357.tif 000003
【図２】
2006102357.tif 000004
【図３】
2006102357.tif 000005
【図４】
2006102357.tif 000006
【図５】
2006102357.tif 000007
【図６】
2006102357.tif 000008
【図７】
2006102357.tif 000009
【図８】
2006102357.tif 000010
【図９】
2006102357.tif 000011